(57)【特許請求の範囲】
【請求項１】
球抜き口を有する球受け皿と、前記球抜き口を開閉する扉部材を有する球抜き装置とを備えてなる遊技機において、
前記球受け皿が、前記球抜き口が形成された球受け皿基部と、前記球抜き装置の取付け用開口を有する球受け皿本体とを有してなり、
前記球抜き装置が、前記扉部材を、前記球抜き口を開放する開位置と閉鎖する閉位置との間で移動可能に下側より支持する支持基板と、前記扉部材を前記閉位置に向け付勢する付勢部材とを有してなり、
前記支持基板には、前記付勢部材の付勢力に抗して、前記扉部材を前記開位置に係止する係止部が形成され、
前記球抜き装置は、前記支持基板が前記取付け用開口と同じ大きさに形成され、該支持基板が該取付け用開口に収まるように前記球受け皿基部の下面に取り付けられ、
前記扉部材が、断面クランク状に前方へ一段下がるように延伸し、該扉部材のクランク状に下方に屈曲した部分が、前記球受け皿本体の前記取付け用開口の開口端と前記支持基板の前端との間に形成された、下向きで横方向に延びる溝部分を通り、該扉部材のクランク状に前方に屈曲した部分が、前記球受け皿本体の前端下方へ延伸し、その先端部に遊技者により開閉操作される操作部を有し、該操作部が横方向に摺動後下方に移動操作可能に構成され、
前記球抜き装置が、前記支持基板の下面が前記球受け皿本体の下面と面一となるように構成され、前記球受け皿の下面から突出しないように取り付けられていることを特徴とする遊技機。
【請求項２】
前記支持基板が、前記扉部材によって前記球抜き口と共に開閉される球排出口を有していることを特徴とする請求項１記載の遊技機。
【請求項３】
弾球遊技機であることを特徴とする請求項１または請求項２記載の遊技機。
【発明の詳細な説明】
【０００１】
【発明の属する技術分野】
本発明は、パチンコ機やスロットマシン（パチスロ機を含む）等の遊技機に関し、詳しくは、遊技球を受けて貯留する球受け皿から、遊技球を抜き出す際に操作する球抜き装置を備えた遊技機に関するものである。
【０００２】
【従来の技術】
従来、例えばパチンコ機等の遊技機には、賞球や貸し球等を受けて貯留する上受け皿と称される球受け皿や、この上受け皿から溢れた遊技球を受けて貯留する下受け皿と称される球受け皿が設けられている。また、下受け皿には、貯留された遊技球を、球入れケース等に抜き出すための球抜き装置が設けられている。一般的にこの球抜き装置は、下受け皿に形成された球抜き口を開閉する扉部材を備え、この扉部材を遊技者が操作することにより、球抜きを行なえるように構成されている。従来の球抜き装置には、球抜きする間、遊技者が扉部材を開位置に保持し続けなければならないなどの問題があったが、近年では、本出願人らにより、扉部材を開位置に保持する機能を持たせるなどの改良が施されたものも知られている（特開２００１−２３２０１６号公報）。
【０００３】
【発明が解決しようとする課題】
しかし、これまでの球抜き装置は、下受け皿等の球受け皿の下面から下方に突出したような状態で設けられていたので、球抜き装置が遊技者から見えてしまう。近年、遊技機の装飾性を高めることが要望されている中、球受け皿の下面から下方に突出した球抜き装置は、遊技機の装飾性を損なう要因となっていた。また、パチンコ機等では、遊技者が下受け皿から遊技球を抜くことを急ぐあまり、下受け皿の下に球入れケースを慌てて置こうとしたり、あるいは、球入れケースを置く台に散らばった遊技球を拾おうとしたりする場合などに、球抜き装置の角部に遊技者の手などが強く接触する虞があるという問題もあった。
【０００４】
本発明は、上記事情に鑑みなされたもので、遊技機の装飾性を高め得ると共に、その角部に遊技者の手などが接触することを防止し得る球抜き装置を備えた遊技機を提供することを目的とする。
【０００５】
【課題を解決するための手段】
上記課題を解決するため本発明の遊技機は、球抜き口を有する球受け皿と、前記球抜き口を開閉する扉部材を有する球抜き装置とを備えてなる遊技機において、
前記球受け皿が、前記球抜き口が形成された球受け皿基部と、前記球抜き装置の取付け用開口を有する球受け皿本体とを有してなり、
前記球抜き装置が、前記扉部材を、前記球抜き口を開放する開位置と閉鎖する閉位置との間で移動可能に下側より支持する支持基板と、前記扉部材を前記閉位置に向け付勢する付勢部材とを有してなり、
前記支持基板には、前記付勢部材の付勢力に抗して、前記扉部材を前記開位置に係止する係止部が形成され、
前記球抜き装置は、前記支持基板が前記取付け用開口と同じ大きさに形成され、該支持基板が該取付け用開口に収まるように前記球受け皿基部の下面に取り付けられ、
前記扉部材が、断面クランク状に前方へ一段下がるように延伸し、該扉部材のクランク状に下方に屈曲した部分が、前記球受け皿本体の前記取付け用開口の開口端と前記支持基板の前端との間に形成された、下向きで横方向に延びる溝部分を通り、該扉部材のクランク状に前方に屈曲した部分が、前記球受け皿本体の前端下方へ延伸し、その先端部に遊技者により開閉操作される操作部を有し、該操作部が横方向に摺動後下方に移動操作可能に構成され、
前記球抜き装置が、前記支持基板の下面が前記球受け皿本体の下面と面一となるように構成され、前記球受け皿の下面から突出しないように取り付けられていることを特徴とするものである。
【０００９】
さらに、前記支持基板が、前記扉部材によって前記球抜き口と共に開閉される球排出口を有しているとしてもよい。
【００１０】
本発明の遊技機は、弾球遊技機とすることができる。
【００１１】
【発明の実施の形態】
以下、本発明に係る遊技機の実施形態について図面を参照しながら説明する。なお、以下の説明では、代表的な弾球遊技機としてのパチンコ機に、本発明を適用した例について説明を行なう。
【００１２】
＜パチンコ機概要＞
図８〜図１０は、本発明の一実施形態に係るパチンコ機を示すもので、図８はパチンコ機の正面図、図９は前側枠体の分解斜視図、および図１０は遊技部内の詳細構成を示す図である。
図８に示すように、本発明の一実施形態に係るパチンコ機３０では、パチンコ機３０の側方に設けられた貸球機４０に、プリペイドカードを挿入することにより供給される遊技球を、その遊技部３（詳細は、図１０参照）内に弾発させることによって、弾球遊技を行なうことができるようになっている。
【００１３】
また、パチンコ機３０は、本体側の外枠３１の上半部に開閉可能に取り付けられた前側枠体８０を備えており、その下方には操作部９０が設けられている。
操作部９０には、遊技に使用するための遊技球を貯留するとともに賞として払い出される遊技球を受け入れるための上受け皿９１と、上受け皿９１からオーバーフローした遊技球を受け入れるための下受け皿２００とが上下に並べて取り付けられている。この下受け皿２００には灰皿９４が設けられており、また下受け皿２００の右側には、遊技球の発射操作を行なうための発射装置９３が設けられている。さらに、上受け皿９１には、当該パチンコ機３０における球貸操作等を行なうための操作パネル９５が設けられている。
【００１４】
また、下受け皿２００の下面部には、下受け皿２００に貯留された遊技球を、下受け皿２００の下側に載置される図示せぬ球入れケースに落下させる際に、遊技者により操作される球抜き装置３００が設けられている。これら下受け皿２００および球抜き装置３００の構成が本発明のポイントとなる部分であり、その詳細については後述する。
【００１５】
一方、前側枠体８０は、図９に示すように、遊技者側の前面に設置される装飾枠８１と、この装飾枠８１の背面に設置される中枠８２と、この中枠８２の背面に設置される透明板（ガラス板）の保持枠８３とを備えてなる。
装飾枠８１は、その中央部に形成された遊技部表示用の開口窓８４と、この開口窓８４の左右両側の複数箇所（３箇所）に形成された装飾用ランプの設置部８５Ａ〜８５Ｃとを備えており、さらに各設置部８５Ａ〜８５Ｃをそれぞれ前方側から覆う装飾用レンズ部材１１０Ａ〜１１０Ｃが取り付けられている。
【００１６】
また、装飾枠８１の上部中央には、賞球時に点灯または点滅する賞球表示ランプ、球詰まり等のトラブル発生時に点灯または点滅する異常表示ランプ、および遊技状態を表示する遊技状態表示ランプが設置される表示用ランプの設置部８６が形成されており、さらにこの設置部８６を前方側から覆う表示用レンズ部材１２０が取り付けられている。
【００１７】
さらに、装飾枠８１の上部両側には、スピーカ取付用開口部８７が左右対称的に形成されており、この一対のスピーカ取付用開口部８７には、スピーカ本体１０１、ケース部１０２およびスピーカカバー１０３からなるスピーカ装置１００が、それぞれ取り付けられている。
【００１８】
中枠８２は主に、前側枠体８０が開放された際、装飾枠８１に取り付けられる各種ランプの配線などが遊技者側から見えないようにすると共に、配線が回転部分に挟まれないようにするために設けられており、その中央部には、装飾枠８１に形成された開口窓８４と略同径の開口部８８が形成されている。この中枠８２の背面に設置される保持枠８３は、方形の額縁形状をなし、中央部に図示せぬ透明板（ガラス板）を保持するように構成されている。
【００１９】
上述のように構成された装飾枠８１、中枠８２および保持枠８３は、互いにビス止め等により一体的に組み付けられ、装飾枠８１の開口窓８４、中枠８２の開口部８８および保持枠８３に保持された図示せぬ透明板を通して、保持枠８３の背面側に設置される遊技盤１に形成された遊技部３（図１０参照）内を遊技者が視認できるようになっている。
【００２０】
＜下受け皿＞
次に、上述した下受け皿２００について詳細に説明する。図１は本発明の遊技機に係る球受け皿の一実施形態としての下受け皿２００の詳細図で、同図（ａ）は平面図、同図（ｂ）は正面図、および同図（ｃ）は右側面図である。また、図２は図１に示す下受け皿２００の断面図である。
【００２１】
図１および図２に示すように、上述した下受け皿２００は、球受け皿基部２１０と球受け皿本体２２０とを有してなる。球受け皿基部２１０は、遊技球を受けて貯留する部分を構成するものであり、その底部には、貯留した遊技球を抜き出すための球抜き口２１１が形成されている。一方、球受け皿本体２２０は、球受け皿基部２１０を正面側より覆うように保持するものであり、図１（ａ），（ｂ）に示すように、その左端寄りの部分には、上述した灰皿９４を保持する灰皿収納凹部２２１が形成されている。
【００２２】
球受け皿基部２１０の詳細を図３に示し、球受け皿本体２２０の詳細を図４に示す。図３は球受け皿基部２１０の詳細図で、同図（ａ）はその平面図、同図（ｂ）は正面図、および同図（ｃ）は左側面図である。また、図４は球受け皿本体２２０の詳細図で、同図（ａ）はその平面図および同図（ｂ）は正面図である。
【００２３】
図３に示すように球受け皿基部２１０は、その内周面が主に滑らかな曲面で構成されると共に、球抜き口２１１に向けて緩やかな下り勾配を有するように構成されており、貯留した遊技球を滞りなく球抜き口２１１から抜き出せるようになっている。球受け皿基部２１０の左右両端上部には、球受け皿本体２２０の内周面に形成された凸部（不図示）と係合する係合凹部２１２を有する取付け片２１３が設けられている。また、球受け皿基部２１０の下面左右両端部には、球受け皿本体２２０の下面内側に形成された溝部２２２（図４（ａ）参照）と係合する係合凸片２１４が設けられている。さらに、球受け皿基部２１０の下面には、球抜き装置３００を球受け皿基部２１０に組み付けるネジ（不図示）のネジ座用凸部２１５が、４個（図３（ｂ）と同図（ｃ）に、それぞれ２個のみ示す）設けられている。
【００２４】
一方、図４に示すように球受け皿本体２２０は、全体として曲面を多用した装飾性の高い形状を有しており、その下面には球抜き装置３００を下面から突出しないように取り付けるための取付け用開口２２３が形成されている。この球受け皿本体２２０の下面は、図２にも示すように、上方に湾曲しながら前方に延伸しており、取付け用開口２２３は、この湾曲した球受け皿本体２２０の下面に沿って、その前端部が正面から見える位置まで形成されている（図４（ｂ）参照）。
【００２５】
＜球抜き装置＞
次に、上述した球抜き装置３００について詳細に説明する。図５は球抜き装置３００の詳細を示す平面図である。図５に示すように球抜き装置３００は、扉部材３１０と、この扉部材３１０を下側から支持する支持基板３２０と、扉部材３１０を図中右方へと付勢する圧縮バネ３３０とからなる。
【００２６】
扉部材３１０の詳細を図６に示し、支持基板３２０の詳細を図７に示す。図６は扉部材３１０の詳細図で、同図（ａ）はその平面図、同図（ｂ）は正面図、および同図（ｃ）は右側面図である。また、図７は支持基板３２０の詳細図で、同図（ａ）はその平面図、同図（ｂ）は正面図、および同図（ｃ）は右側面図である。
【００２７】
図６に示すように扉部材３１０は、全体的には板状に形成されており、同図（ｃ）および図２に示すようにその前側の部分は、断面クランク状に前方へ一段下がるように延伸し、その先端部に遊技者により開閉操作される操作部３１１を有している。この操作部３１１の前面には、図６（ｂ）に示すように、扉部材３１０を開位置（詳しくは後述する）に操作する際の操作方向（図中左へ移動してから下へ）を示す操作矢印３１１ａが形成されている。また、この操作部３１１には、操作方向上方に傾斜した操作面３１１ｂが設けられており、遊技者がこの操作面３１１ｂに指を掛けて扉部材３１０を左方向に移動する際に、自然と下向きの力が加わるようになっている。また、扉部材３１０の前後方向中央寄りの左端には、圧縮バネ３３０の右端を支持するバネ座３１２が設けられている。さらに、扉部材３１０の下面における前後方向中央寄りの両端には、ガイド片３１３がそれぞれ設けられている（図６（ｃ）に右端側のもののみ示す）。
【００２８】
一方、図７に示すように支持基板３２０は、全体的に、図４に示す球受け皿本体２２０の取付け用開口２２３にちょうど収まる大きさを有する矩形板状に形成されている。また、支持基板３２０の上面には、４個のネジ座用凹部３２１と、左右方向に互いに平行に延びた３本のガイドレール３２２Ａ〜３２２Ｃが設けられている。４個のネジ座用凹部３２１は、支持基板３２０を図３に示す球受け皿基部２１０の下面に組み付ける図示せぬネジ用のものであり、支持基板３２０の下面に設けられた４個のネジ座用凸部２１５と各々対応する位置に設けられている。
【００２９】
３本のガイドレール３２２Ａ〜３２２Ｃは、図６に示す扉部材３１０を摺動自在に下側から支持するものであり、３本のガイドレール３２２Ａ〜３２２Ｃのうち、前側の２本のガイドレール３２２Ａ，３２２Ｂの左右両端部には、扉部材３１０の左右方向へのそれ以上の移動を阻止する停止用段部３２３が設けられている。また、前側の２本のガイドレール３２２Ａ，３２２Ｂは、左右方向中央部から左側の部分が、右側の部分よりも一段低く形成されており、その境界部分には扉部材３１０を開位置に係止するための段状の係止部３２４が設けられている。さらに、前側の２本のガイドレール３２２Ａ，３２２Ｂの間における左右方向左端部には、圧縮バネ３３０の左端を支持するバネ座３２５が設けられている。また、該左右方向中央部には、扉部材３１０が開位置に係止された際に扉部材３１０の下面に設けられたガイド片３１３を下方に逃がすための、逃げ孔３２６が穿設されている。
【００３０】
支持基板３２０の中央部には、球排出口３２７が形成されている。この球排出口３２７は、支持基板３２０が球受け皿基部２１０の下面に取り付けられた際、球受け皿基部２１０の球抜き口２１１と対応する位置に設けられており、扉部材３１０によって、球抜き口２１１と共に開閉されるようになっている。また、支持基板３２０の下面は、支持基板３２０が球受け皿本体２２０の取付け用開口２２３に取り付けられた際、球受け皿本体２２０の下面と面一となるように形成されており、特に、その前端部分は球受け皿本体２２０の下面前端部の湾曲形状に合わせて上方に湾曲した形状となっている。
【００３１】
上述したように構成された扉部材３１０および支持基板３２０は、図５に示すように、扉部材３１０のバネ座３１２と支持基板３２０のバネ座３２５との間に、圧縮バネ３３０を装着された状態で互いに組み合わされ、球抜き装置３００を構成する。この構成された球抜き装置３００は、球受け皿本体２２０に組み入れられた球受け皿基部２１０の下面に、この下面と支持基板３２０との間に扉部材３１０を挟持するような状態で、図示せぬネジにより組み付けられる。
【００３２】
図５に示すように、扉部材３１０が、圧縮バネ３３０の閉方向（図中右方向）への付勢力によって、その右端部がガイドレール３２２Ａ，３２２Ｂの右端部に設けられた停止用段部３２３に押し付けられて停止する位置が閉位置となる。一方、遊技者が、扉部材３１０の操作部３１１に設けられた操作矢印３１１ａの方向（図中左方向に移動後下方向）に扉部材３１０を操作し、扉部材３１０が、閉方向（図中左方向）へ摺動した後、ガイドレール３２２Ａ，３２２Ｂの左側の一段低い部分に落ち込み、その右端部がガイドレール３２２Ａ，３２２Ｂの中央部に設けられた係止部３２４（図７参照）によって係止されて停止する位置が上述した開位置となる。
【００３３】
扉部材３１０が閉位置にある時、支持基板３２０に設けられた球排出口３２７は、扉部材３１０によって上側から閉鎖され、また、球排出口３２７と対向する位置にくる球受け皿基部２１０の球抜き口２１１は、扉部材３１０によって下側から閉鎖される。したがって、球受け皿基部２１０内に入ってきた遊技球は、球抜き口２１１から抜け落ちることなく、球受け皿基部２１０内に貯留される。一方、遊技者が扉部材３１０の操作面３１１ｂに指を掛け、扉部材３１０を閉方向に移動させる過程において、球受け皿基部２１０の球抜き口２１１および支持基板３２０の球排出口３２７は、共に開放され始め、扉部材３１０が閉位置にきた状態において完全に開放される。したがって、球受け皿基部２１０内に貯留された遊技球は、球抜き口２１１および球排出口３２７を通って下方に落下、排出される。
【００３４】
なお、開位置にある扉部材３１０は、ガイドレール３２２Ａ，３２２Ｂの係止部３２４によって、圧縮バネ３３０の閉方向への付勢力に抗して係止されるので、遊技者が扉部材３１０を開位置に保持する必要はない。扉部材３１０を閉位置に移動させたい場合には、遊技者が扉部材３１０の操作部３１１を下側から上方へ軽く押し上げれば、扉部材３１０と係止部３２４との係合が外れ、扉部材３１０は圧縮バネ３３０の付勢力によって、元の閉位置に自動的に戻るようになっている。
【００３５】
上述したように本実施形態においては、図１および図２に示すように、球抜き装置３００が下受け皿２００に組み付けられた時、下受け皿２００の下面から下方に突出しない。このため、下受け皿２００の下部がすっきりとし、下受け皿２００の装飾性が高められていると共に、遊技者の手などが球抜き装置３００の角部に接触することを防止することが可能となっている。
【００３６】
また、球抜き装置３００を構成する支持基板３２０が球受け皿本体２２０の取付け用開口２２３にちょうど収まる大きさに形成され、球抜き装置３００が下受け皿２００に組み付けられた時、球抜き装置３００の下面が球受け皿本体２２０の下面と面一となるように構成されている。このため、球抜き装置３００を下受け皿２００の内部に完全に内蔵した場合に比べ、球受け皿基部２１０の下面と球受け皿本体２２０の下面との間の距離を小さくすることが可能となり、省スペース化が図れる。
【００３７】
さらに、扉部材３１０は、その前側の部分が、断面クランク状に前方へ一段下がるように延伸し、その先端部に遊技者により開閉操作される操作部３１１を有している。このため、扉部材３１０が真っ直ぐ前方に伸びたように構成した場合に比べ、球抜き装置３００の全体としての高さ（厚み）を小さくすることが可能となり、球抜き装置３００の見た目がすっきりとし、下受け皿２００の装飾性をより高めることが可能となっている。
【００３８】
以下では、上述したパチンコ機３０の他の構成を詳細に説明する。
＜遊技盤＞
図１０に示す遊技盤１は、その表面に一対のガイドレール２で囲まれた略円形の遊技部３を備えており、遊技部３内には、複数の障害釘や風車等の障害部材４が配設されると共に、複数の特別図柄を変動表示するための特別図柄表示装置として機能する画像表示装置５と、２個の普通図柄表示ＬＥＤ６ａ，６ｂを有する普通図柄表示装置７と、複数の入賞口と、いずれの入賞口にも入賞しなかった遊技球を遊技部３内から排出するためのアウト口８とが設けられている。
【００３９】
上記画像表示装置５の周囲には、遊技盤１の表面から立ち上がる枠体２１が設けられており、この枠体２１の下辺部分には、側方から水平方向に飛び込んだ遊技球を一時滞留させ、その後この遊技球を後述する始動入賞口１２に流下させるステージ２２が設けられている。
【００４０】
＜入賞口＞
上記入賞口は、その機能によって複数種類に分かれており、遊技球が入賞したことを条件として所定数の賞球を排出するための一般入賞口９と、遊技球が通過したことを条件として、普通図柄表示装置７における普通図柄表示ＬＥＤ６ａ，６ｂの変動表示を開始させるための普通図柄始動口１０と、遊技球を受け入れ易い状態と、遊技球を受け入れ難い状態との間で切換可能な変動部材（以下、普通電動役物１１と称す）を有し、遊技球が入賞したことを条件として画像表示装置５における特別図柄の変動表示を開始させるための始動入賞口１２と、遊技球を受け入れ易い状態と、遊技球を受け入れ難い状態との間で切換可能となっており、画像表示装置５における図柄の停止表示態様が所定の賞態様を構成した場合に、所定時間および所定回数だけ遊技球を受け入れ易い状態に切り換えられる大入賞口１３とからなる。
【００４１】
＜普通図柄始動口＞
上記普通図柄始動口１０は、始動入賞口１２の左下方に設けられており、通過する遊技球を検出するようになっている。この普通図柄始動口１０の通過球は、４個まで記憶可能となっており、この入賞記憶に基づいて、普通図柄表示装置７における図柄の変動表示が行なわれる。また、画像表示装置５の右側部には、普通図柄始動口１０の通過記憶個数を表示するための４個の普通図柄記憶ＬＥＤ１４が設けられている。この普通図柄記憶ＬＥＤ１４の点灯個数により、普通図柄始動口１０の通過記憶個数を表示することができる。
【００４２】
＜始動入賞口＞
上記始動入賞口１２の左右には、遊技球を受け入れ易い状態と、遊技球を受け入れ難い状態との間で切換可能ないわゆるチューリップ状の普通電動役物１１が設けられている。この普通電動役物１１は、通常の状態では遊技球を受け入れ難い状態となっており、普通図柄表示装置７において「当たり」となった場合に、所定時間（例えば、０．３秒間）だけ遊技球を受け入れ易い状態に切り換えられる。
【００４３】
また、始動入賞口１２への入賞球は、４個まで記憶可能となっており、この入賞記憶に基づいて、画像表示装置５における図柄の変動表示が行なわれる。また、画像表示装置５の左側部には、始動入賞口１２への入賞記憶個数を表示するための４個の特別図柄記憶ＬＥＤ１５が設けられている。この特別図柄記憶ＬＥＤ１５の点灯個数により、始動入賞口１２への入賞記憶個数を表示することができる。
【００４４】
＜画像表示装置＞
上記画像表示装置５は、遊技部３のほぼ中央に設けられた液晶表示装置からなり、画像で表現される複数の特別図柄を変動表示するとともに、遊技状態に対応したアニメーション表示を行なうことにより、遊技演出を行なうことができるようになっている。
【００４５】
画像表示装置５に表示される特別図柄は、例えば「０」「１」「２」・・・「９」「１０」「１１」等の数字からなり、停止表示された数字の組み合わせが「０」「０」「０」、「７」「７」「７」等のように３個とも同一の数字となった場合を「大当たり」として、一般遊技と比較して遊技者に有利な特別遊技を行なうことができる。
この特別遊技とは、例えば大入賞口１３を、所定時間および所定回数だけ遊技球を受け入れ易い状態に切り換えて、一般遊技よりも多くの遊技球を入賞させることにより、多くの賞球を獲得することができるような遊技である。
【００４６】
＜普通図柄表示装置＞
上記普通図柄表示装置７は、画像表示装置５の上方に設けられた赤色発光と緑色発光の２個の普通図柄表示ＬＥＤ６ａ，６ｂを備えている。この普通図柄表示装置７では、２個の普通図柄表示ＬＥＤ６ａ，６ｂが赤、緑の発光色で交互に点滅するようになっており、２個の普通図柄表示ＬＥＤ６ａ，６ｂの点滅が終了して緑色で点灯した場合を「当たり」として、始動入賞口１２に設けられた普通電動役物１１を、所定時間だけ遊技球を受け入れ易い状態に切り換えて、始動入賞口１２に遊技球を入賞させ易くする。
【００４７】
なお、普通図柄表示装置７は、上述した２個の普通図柄表示ＬＥＤ６ａ，６ｂを備えて構成する他に、例えば７セグメント表示器等により構成することもできる。この場合には、７セグメント表示器に表示する普通図柄として、例えば「０」「１」「２」・・・「７」「８」「９」等の数字を変動表示し、停止表示された数字が「３」あるいは「７」となった場合を「当たり」とする。
【００４８】
＜枠体＞
上記枠体２１は、画像表示装置５の周囲の全周に亘り遊技盤１の表面より立設した壁部として形成されたものであり、図１０に示すように、その背面上辺部は緩やかな円弧状をなすように形成されている。したがって、この遊技部３内に弾発された遊技球はこの枠体２１の背面上辺部に落下した後、緩やかなカーブを描いて側辺部に到る左右の肩部２３ａ，２３ｂに導かれ、略所定の速度で所定の障害釘列２４ａ，２４ｂ上に落下する（図１０中の矢印参照；障害釘列２４ａに落下する遊技球軌跡のみを示す）。
【００４９】
さらに、この障害釘列２４ａ，２４ｂ上に落下した遊技球は所定の確率で水平方向に弾き飛ばされる（図１０中の矢印参照；障害釘列２４ａに落下する遊技球軌跡のみを示す）。
【００５０】
この枠体２１の下方部分は、左右の側部に遊技球導入口２５ａ，２５ｂを有し、この遊技球導入口２５ａ，２５ｂから入った遊技球を一時的に滞留させる平坦部２６を有するステージ２２が形成されている。また、この平坦部２６は、左右方向においては中央部に向かって緩やかな下り傾斜がつけられており、この平坦部２６の前端中央部には遊技球流下用の切欠き部２７が設けられている。また、このステージ２２の前面は、このステージ２２内に滞留している遊技球が遊技者から視認し得るように大きく開設されている。
ステージ２２に一時滞留した遊技球は、平坦部２６の傾斜にしたがって上記切欠き部２７に集められ、この切欠き部２７から始動入賞口１２に流下するようになっている。
【００５１】
＜パチンコ機における遊技＞
上記パチンコ機では、発射装置９３（図８参照）により遊技部３内に発射された遊技球が、一般入賞口９等に入賞すると、所定数（例えば１０個）の賞球を払い出す。
【００５２】
また、普通図柄始動口１０を遊技球が通過したことを条件として、普通図柄表示装置７における普通図柄の変動表示を開始させる。そして、乱数を用いた抽選により、普通図柄表示装置７における普通図柄表示ＬＥＤ６ａ，６ｂの停止表示態様を決定し、この決定に基づいて普通図柄表示ＬＥＤ６ａ，６ｂの変動表示を停止させる。
【００５３】
ここで、普通図柄表示装置７における普通図柄表示ＬＥＤ６ａ，６ｂの停止表示態様が、「当たり」となると、始動入賞口１２に設けられた普通電動役物１１を所定時間（例えば、０．３秒間）だけ遊技球を受け入れ易い状態に切り換える。
【００５４】
また、始動入賞口１２に遊技球が入賞したことを条件として、画像表示装置５における特別図柄の変動表示を開始させる。そして、乱数を用いた抽選により、画像表示装置５における特別図柄の停止表示態様を決定し、この決定に基づいて特別図柄の変動表示を停止させる。
この乱数を用いた抽選には、高低２種類の確率選択テーブルが用いられる。例えば、高確率選択テーブルを選択した場合には、低確率選択テーブルを選択した場合と比較して、約５倍だけ「大当たり」が発生しやすくなっている。
【００５５】
ここで、画像表示装置５における特別図柄の停止表示態様が「大当たり」となると、大入賞口１３を所定時間（例えば３０秒）あるいは所定個数（例えば１０個）の入賞球を受け入れるまで開放する。また、大入賞口１３内には継続入賞口（図示せず）が設けられており、大入賞口１３内に入賞した遊技球が継続入賞口にも入賞すると、上述した大入賞口１３の開放が、所定回数（例えば１６回）に達するまで繰り返される。
【００５６】
＜制御装置＞
上述したパチンコ機を構成する各機器は、マイクロコンピュータ等からなる制御装置により制御されている。
図１１に基づいて、この制御装置の概略構成を説明する。図１１は、制御装置の概略構成を示すブロック図である。
制御装置５０は、図１１に示すように、遊技球発射制御、賞球排出制御および音声制御等を行なうための主制御回路５１と、この主制御回路５１による制御に基づいて画像表示装置５における画像表示制御を行なうための表示制御回路５２とを主な構成要素としている。
【００５７】
＜主制御回路＞
主制御回路５１は、演算処理を行なうためのメインＣＰＵ５３と、主制御プログラムを記憶したメインＲＯＭ５４と、一時記憶領域であるメインＲＡＭ５５とを備えており、メインＲＯＭ５４に記憶された制御プログラムに従ってメインＣＰＵ５３等が動作することにより、遊技発射制御、賞球排出制御および音声制御等が行なわれる。なお、メインＣＰＵ５３は、定期的に発生するリセット信号の入力に基づいて、制御プログラムの先頭から処理を実行する。
【００５８】
また、主制御回路５１には、中継基板５６を介して、大入賞口１３への入賞球を検出するための大入賞球センサ５７、普通図柄始動口１０を通過する遊技球を検出するための普通図柄始動センサ５８、一般入賞口９への入賞球を検出するための一般入賞球センサ５９、始動入賞口１２への入賞球を検出するための始動入賞球センサ６０、発射装置９３により遊技部３へ向かって発射された遊技球を検出するための発射球センサ６１、および遊技部３内へ達せずに発射位置へ戻ってきた遊技球を検出するための戻り球センサ６２が接続されており、これらのセンサからの球検出信号が入力される。
【００５９】
パチンコ機３０の遊技において、普通図柄始動センサ５８が普通図柄始動口１０を通過した遊技球を検出すると、メインＣＰＵ５３は当該検出信号に基づいて乱数を用いた抽選を行い、当該抽選結果に基づいて普通図柄表示装置７における普通図柄の停止表示態様を決定する。
【００６０】
また、始動入賞球センサ６０が入賞球を検出すると、メインＣＰＵ５３は当該検出信号に基づいて乱数を用いた抽選を行い、当該抽選結果に基づいて、画像表示装置５における特別図柄の停止表示態様を決定する。
【００６１】
さらに、主制御回路５１には、ランプ制御回路６３を介して普通図柄表示装置７、普通図柄記憶ＬＥＤ１４、特別図柄記憶ＬＥＤ１５、および装飾表示を行なうための装飾用ランプ（ＬＥＤ）１３２が接続されている。また、主制御回路５１には、始動入賞口１２の駆動装置、および大入賞口１３の駆動装置が接続されており、各種の装飾表示、始動入賞口１２の普通電動役物１１の開閉動作および大入賞口１３の開閉動作が制御される。
【００６２】
また、主制御回路５１には、音声制御回路６４が接続されており、この音声制御回路６４の制御に基づいてスピーカ装置１００から効果音等を発生する。さらに、主制御回路５１には、賞球制御回路６６が接続されており、この賞球制御回路６６の制御に基づいて、賞球排出装置６７による賞球排出動作および発射装置９３による打球発射動作が制御される。
【００６３】
＜表示制御回路＞
表示制御回路５２は、主制御回路５１を構成する基板とは別個の基板により構成されており、主制御回路５１から受信したコマンドに基づいて画像表示装置５に表示すべき画像データを生成し、当該画像データの表示制御を行なう。
【００６４】
この表示制御回路５２は、主制御回路５１から受信したコマンドの解釈を行なうとともにＶＤＰ（Ｖｉｄｅｏ  Ｄｉｓｐｌａｙ  Ｐｒｏｃｅｓｓｏｒ）７３のパラメータ設定を行なうためのサブＣＰＵ６９、サブＣＰＵ６９で実行する制御プログラムを記憶したプログラムＲＯＭ７０、一時記憶領域であるワークＲＡＭ７１、画像を形成するためのドットデータを記憶するための画像ＲＯＭ７２、サブＣＰＵ６９で設定されたパラメータに基づいて画像ＲＯＭ７２内のドットデータを読み込むとともに表示すべき画像データを生成するためのＶＤＰ７３、このＶＤＰ７３で生成された画像データをＲＧＢ信号に変換するためのＤ／Ａ変換器７４、所定時間毎に割り込みをかけるためのＣＴＣ（Ｃｏｕｎｔｅｒ  Ｔｉｍｅｒ  Ｃｉｒｃｕｉｔ）７５、および図柄制御プログラムが異常な処理ルーチンに入ったときにサブＣＰＵ６９を初期状態に戻すためのリセット命令を発生するリセットＩＣ７６を備えている。表示制御回路５２では、プログラムＲＯＭ７０に記憶された制御プログラムに従ってサブＣＰＵ６９等が動作することにより、画像表示装置５における画像表示が制御される。
【００６５】
以上、本発明の一実施形態を説明したが、本発明は、このような態様に限定されるものではなく、種々の態様の変更が可能である。
【００６７】
例えば、上述した実施形態では、代表的な遊技機としてパチンコ機を例にとって説明したが、本発明は、雀球遊技機等の他の弾球遊技機やスロットマシン等のその他の遊技機にも適用することが可能であり、また、球受け皿としてもパチンコ機の下受け皿に限らず、球抜き装置を備えた他の球受け皿に適用することが可能である。
【００６８】
【発明の効果】
以上、詳細に説明したように本発明の遊技機によれば、球抜き装置が、球受け皿の下面から突出しないように取り付けられているので、球受け皿の下部がすっきりとし、球受け皿の装飾性を高め得ると共に、遊技者の手などが球抜き装置の角部に接触することを防止することが可能である。
【００６９】
また、球抜き装置が、球受け皿の球抜き口を開閉する扉部材と、この扉部材を下側より支持する支持基板と、扉部材を閉方向に向け付勢する付勢部材とを有し、さらに支持基板に、付勢部材の付勢力に抗して、扉部材を開位置に係止する係止部が形成されているものによれば、遊技者が遊技球を球受け皿から抜き出したい場合に、扉部材を遊技者の手等で開位置に保持する必要がなく、扉部材の操作性を高めることが可能である。
【００７０】
さらに、球受け皿が、球抜き口が形成された球受け皿基部と、球抜き装置の取付け用開口を有する球受け皿本体とを有し、球抜き装置の支持基板が、取付け用開口と略同じ大きさに形成されて取付け用開口に収まり、その下面が球受け皿本体の下面と略面一となるように構成されているものによれば、球抜き装置を下受け皿の内部に完全に内蔵した場合に比べ、球受け皿基部の下面と球受け皿本体の下面との間の距離を小さくすることが可能となり、省スペース化が図れる。
【００７１】
また、扉部材が、断面クランク状に前方へ一段下がるように延伸し、その先端部に遊技者により開閉操作される操作部を有しているものによれば、扉部材が真っ直ぐ前方に伸びたように構成した場合に比べ、球抜き装置の全体としての高さ（厚み）を小さくすることが可能となり、球抜き装置の見た目がすっきりとし、球受け皿の装飾性をより高めることが可能となる。
【図面の簡単な説明】
【図１】本発明の一実施形態に係る下受け皿の詳細図
【図２】図１に示す下受け皿の断面図
【図３】図１に示す球受け皿基部の詳細図
【図４】図１に示す球受け皿本体の詳細図
【図５】図１に示す球抜き装置の詳細図
【図６】図５に示す扉部材の詳細図
【図７】図５に示す支持基板の詳細図
【図８】本発明の一実施形態に係るパチンコ機の正面図
【図９】図８に示す前側枠体の分解斜視図
【図１０】図８に示すパチンコ機に使用する遊技部内の詳細構成を示す正面図
【図１１】パチンコ機を制御するための制御装置の概略構成を示すブロック図
【符号の説明】
１                遊技盤
２                ガイドレール
３                遊技部
４                障害部材
５                画像表示装置
６ａ，６ｂ        普通図柄表示ＬＥＤ
７                普通図柄表示装置
８                アウト口
９                一般入賞口
１０                普通図柄始動口
１１                普通電動役物
１２                始動入賞口
１３                大入賞口
１４                普通図柄記憶ＬＥＤ
１５                特別図柄記憶ＬＥＤ
２１                枠体
２２                ステージ
２３ａ，２３ｂ      肩部
２４ａ，２４ｂ      障害釘列
２５ａ，２５ｂ      遊技球導入口
２６                平坦部
２７                切欠き部
３０                パチンコ機
４０                貸球機
５０                制御装置
５１                主制御回路
５２                図柄制御回路
５３                メインＣＰＵ
５４                メインＲＯＭ
５５                メインＲＡＭ
５６                中継基板
５７                大入賞球センサ
５８                普通図柄始動センサ
５９                一般入賞球センサ
６０                始動入賞球センサ
６１                発射球センサ
６２                戻り球センサ
６３                ランプ制御回路
６４                音声制御回路
６６                賞球制御回路
６７                賞球排出装置
６９                サブＣＰＵ
７０                プログラムＲＯＭ
７１                ワークＲＡＭ
７２                画像ＲＯＭ
７３                ＶＤＰ
７４                Ｄ／Ａ変換器
７５                ＣＴＣ
７６                リセットＩＣ
８０                前側枠体
８１                装飾枠
８２                中枠
８３                保持枠
８４                開口窓
８５Ａ〜８５Ｃ      装飾用ランプの設置部
８８                開口部
９０                操作部
９１                上受け皿
９３                発射装置
９４                灰皿
９５                操作パネル
１００              スピーカ装置
１０１              スピーカ本体
１０２              ケース部
１０３              スピーカカバー
１１０Ａ〜１１０Ｃ  装飾用レンズ部材
１２０              表示用レンズ部材
１３２              装飾用ランプ（ＬＥＤ）
２００              下受け皿
２１０              球受け皿基部
２１１              球抜き口
２１２              係合凹部
２１３              取付け片
２１４              係合凸片
２１５              ネジ座用凸部
２２０              球受け皿本体
２２１              灰皿収納凹部
２２２              溝部
２２３              取付け用開口
３００              球抜き装置
３１０              扉部材
３１１              操作部
３１１ａ            操作矢印
３１１ｂ            操作面
３１２，３２５      バネ座
３１３              ガイド片
３２０              支持基板
３２１              ネジ座用凹部
３２２Ａ〜３２２Ｃ  ガイドレール
３２３              停止用段部
３２４              係止部
３２６              逃げ孔
３２７              球排出口
３３０              圧縮バネ
【図１】
0004132843.tif 000002
【図２】
0004132843.tif 000003
【図３】
0004132843.tif 000004
【図４】
0004132843.tif 000005
【図５】
0004132843.tif 000006
【図６】
0004132843.tif 000007
【図７】
0004132843.tif 000008
【図８】
0004132843.tif 000009
【図９】
0004132843.tif 000010
【図１０】
0004132843.tif 000011
【図１１】
0004132843.tif 000012